(57)【要約】【課題】  波長可変フィルタを用いずにパワースプリッタ型ＷＤＭ−ＰＯＮおよび自発光方式に対応するカラーレスＯＮＵを実現する。【解決手段】  局側のＯＬＴと、複数のユーザ側のＯＮＵがパワースプリッタおよび光ファイバ伝送路を介して接続された光通信システムにおいて、各ＯＮＵは、ＯＮＵごとに異なる少なくとも１つのサブキャリア周波数が割り当てられ、そのサブキャリア周波数のＲＦ搬送波を送信信号で変調したＲＦ変調信号を生成するＲＦ変調手段と、所定の中心波長で広帯域なスペクトルを有しＲＦ変調信号で変調した変調光を上り信号として送信する光源とを含む送信器を備え、ＯＬＴは、各ＯＮＵからそれぞれ送信された上り信号をパワースプリッタを介してサブキャリア多重された上り信号として受光して電気信号に変換する受光器と、各ＯＮＵに割り当てられたサブキャリア周波数に基づいて電気信号から各ＯＮＵの送信信号を復調する各ＯＮＵ対応のＲＦ復調器とを含む受信器を備える。【選択図】        図１
2010114621.tif 000002
【特許請求の範囲】
【請求項１】
局側に配置される光加入者線終端盤（以下「ＯＬＴ」という）と、複数のユーザ側にそれぞれ配置される光ネットワーク終端装置（以下「ＯＮＵ」という）がパワースプリッタおよび光ファイバ伝送路を介して接続された光通信システムにおいて、
前記各ＯＮＵは、ＯＮＵごとに異なる少なくとも１つのサブキャリア周波数が割り当てられ、それぞれ割り当てられたサブキャリア周波数のＲＦ搬送波を送信信号で変調したＲＦ変調信号を生成するＲＦ変調手段と、所定の中心波長で広帯域なスペクトルを有し前記ＲＦ変調信号で変調した変調光を上り信号として送信する光源とを含む送信器を備え、
前記ＯＬＴは、前記各ＯＮＵからそれぞれ送信された前記上り信号を前記パワースプリッタを介してサブキャリア多重された上り信号として受光して電気信号に変換する受光器と、前記各ＯＮＵに割り当てられたサブキャリア周波数に基づいて前記電気信号から前記各ＯＮＵの送信信号を復調する各ＯＮＵ対応のＲＦ復調器とを含む受信器を備えた
ことを特徴とする光通信システム。
【請求項２】
請求項１に記載の光通信システムにおいて、
前記ＯＳＵの光源に代えて、外部光源から所定の中心波長で広帯域なスペクトルを有するＣＷ光を入力し、前記ＲＦ変調信号でＣＷ光を変調した変調光を上り信号として送信する光変調器を備えた
ことを特徴とする光通信システム。
【請求項３】
請求項１に記載の光通信システムにおいて、
前記ＯＳＵの光源に代えて、外部光源から所定の中心波長で広帯域なスペクトルを有するＣＷ光を入力し、前記ＲＦ変調信号でＣＷ光を変調し、かつ片側の変調スペクトルのみを有する変調光を上り信号として送信する光変調器を備えた
ことを特徴とする光通信システム。
【請求項４】
請求項１に記載の光通信システムにおいて、
前記ＯＬＴは、広帯域な前記上り信号を各波長成分に分波する波長分波器と、前記各ＯＮＵ対応の受光器とを備え、前記波長分波器で分波された各波長成分の上り信号を前記各ＯＮＵ対応の受光器でそれぞれ電気信号に変換し、前記各ＯＮＵ対応のＲＦ復調器で復調する構成である
ことを特徴とする光通信システム。
【請求項５】
請求項１に記載の光通信システムのＯＮＵの送信器において、
前記各ＯＮＵに対して互いに異なる少なくとも１つのサブキャリア周波数が割り当てられ、それぞれ割り当てられたサブキャリア周波数のＲＦ搬送波を送信信号で変調したＲＦ変調信号を生成するＲＦ変調手段と、
所定の中心波長で広帯域なスペクトルを有する出力光を前記ＲＦ変調信号で変調した変調光を上り信号として送信する光源と
を備えたことを特徴とするＯＮＵの送信器。
【請求項６】
請求項５に記載の光通信システムＯＳＵの送信器において、
前記光源に代えて、外部光源から所定の中心波長で広帯域なスペクトルを有するＣＷ光を入力し、前記ＲＦ変調信号でＣＷ光を変調した変調光を上り信号として送信する光変調器を備えた
ことを特徴とするＯＳＵの送信器。
【請求項７】
請求項５に記載の光通信システムＯＳＵの送信器において、
前記光源に代えて、外部光源から所定の中心波長で広帯域なスペクトルを有するＣＷ光を入力し、前記ＲＦ変調信号でＣＷ光を変調し、かつ片側の変調スペクトルのみを有する変調光を上り信号として送信する光変調器を備えた
ことを特徴とするＯＳＵの送信器。
【請求項８】
請求項１に記載の光通信システムのＯＬＴの受信器において、
前記各ＯＮＵからそれぞれ送信された前記上り信号を前記パワースプリッタを介してサブキャリア多重された上り信号として受光して電気信号に変換する受光器と、
前記各ＯＮＵに割り当てられたサブキャリア周波数に基づいて前記電気信号から前記各ＯＮＵの送信信号を復調する各ＯＮＵ対応のＲＦ復調器と
を備えたことを特徴とするＯＬＴの受信器。
【請求項９】
請求項１に記載の光通信システムのＯＮＵの上り信号送信方法において、
前記各ＯＮＵに対して互いに異なる少なくとも１つのサブキャリア周波数が割り当てられたＲＦ変調手段が、それぞれ割り当てられたサブキャリア周波数のＲＦ搬送波を送信信号で変調したＲＦ変調信号を生成し、
所定の中心波長で広帯域なスペクトルを有する光源から前記ＲＦ変調信号で変調した変調光を上り信号として送信する
ことを特徴とするＯＮＵの上り信号送信方法。
【請求項１０】
請求項９に記載のＯＮＵの上り信号送信方法において、
前記光源に代えて、外部光源から所定の中心波長で広帯域なスペクトルを有するＣＷ光を入力する光変調器を用い、前記ＲＦ変調信号でＣＷ光を変調した変調光を上り信号として送信する
ことを特徴とするＯＮＵの上り信号送信方法。
【請求項１１】
請求項９に記載のＯＮＵの上り信号送信方法において、
前記光源に代えて、外部光源から所定の中心波長で広帯域なスペクトルを有するＣＷ光を入力する光変調器を用い、前記ＲＦ変調信号でＣＷ光を変調し、かつ片側の変調スペクトルのみを有する変調光を上り信号として送信する
ことを特徴とするＯＮＵの上り信号送信方法。
【発明の詳細な説明】
【技術分野】
【０００１】
本発明は、光アクセスシステムの高速化に適する光通信システムに関する。また、本発明は、光通信システムにおけるＯＮＵの送信器、ＯＬＴの受信器、およびＯＮＵの上り信号送信方法に関する。
【背景技術】
【０００２】
光アクセスシステムの高速化は著しく、この５年程度の間に 100倍の高速・広帯域化が進み、ギガビットクラスのブロードバンドサービスがＧＥ−ＰＯＮ（Gigabit Ethernet( 登録商標）−Passive Optical Network)システムの商用導入で経済的に提供されている。さらなる高速・広帯域化に向けた次世代ＰＯＮ技術のアプローチとしては、主に、これまでの延長技術である時間軸上でユーザ多重を行う時間多重（ＴＤＭ）方式と、波長軸上でユーザ多重を行う波長多重（ＷＤＭ）方式があり、後者をＷＤＭ−ＰＯＮと呼んでいる。
【０００３】
図１は、ＷＤＭ−ＰＯＮシステムの構成例を示す（非特許文献１）。
図において、局側に配置されるＯＬＴ(Optical Line Terminal：光加入者線終端盤）１０と、ユーザ側に配置されるＯＮＵ（Optical Network Unit：光ネットワーク終端装置）２０−１〜２０−ｎ（ｎは自然数）とが、光ファイバ伝送路３１、波長スプリッタ３３またはパワースプリッタ３４、ｎ本の光ファイバ伝送路３２を介して１対ｎで接続される。
【０００４】
図１(a) の波長スプリッタ型ＷＤＭ−ＰＯＮでは、ＯＮＵ２０−１〜２０−ｎにそれぞれ対応する波長λd1〜λdnの下り信号は、波長スプリッタ３３で波長分波して各ＯＮＵに伝送される。また、ＯＮＵ２０−１〜２０−ｎからそれぞれ出力される波長λu1〜λunの上り信号は、波長スプリッタ３３で波長合波してＯＬＴ１０に伝送される。
【０００５】
図１(b) のパワースプリッタ型ＷＤＭ−ＰＯＮでは、ＯＮＵ２０−１〜２０−ｎにそれぞれ対応する波長λd1〜λdnの下り信号は、パワースプリッタ３４でｎ分岐して各ＯＮＵに伝送される。各ＯＮＵは、それぞれ対応する波長λd1〜λdnの下り信号を選択して受信する。ＯＮＵ２０−１〜２０−ｎからそれぞれ出力される波長λu1〜λunの上り信号は、パワースプリッタ３４で合流してＯＬＴ１０に伝送される。
【０００６】
ＷＤＭ−ＰＯＮの物理的なトポロジーはパッシブダブルスターで、伝送路である光ファイバを複数のユーザで共用しているが、ユーザごとに異なる波長を割り当てているため、論理的なトポロジーはシングルスターとなっている。このため、伝送路をユーザで共用しながら、他のユーザに影響を与えることなく、ユーザごとに独立にサービスを設定・変更することができる。
【非特許文献１】K.Iwatsuki, J.Kani, H.Suzuki, and M.Fujiwara,"Access and Metro Networks based on WDM Technologies", IEEE J.Lightwave Technol.,Vol.22, No.11, pp.2623-2630,(2004)
【発明の開示】
【発明が解決しようとする課題】
【０００７】
ＷＤＭ−ＰＯＮでは、各ＯＮＵに波長が固定的に割り当てられるため、ユーザごとに送信波長が異なるＯＮＵを用意しなければならず、ユーザの利便性や保守運用性に欠けることになる。このため、波長を意識することなく使いやすいＯＮＵを実現するには、ＯＮＵを単一品種化し、局側（ＯＬＴ側）からＯＮＵの送信波長を設定できるようにする必要があり、このような機能を実現する技術をＯＮＵのカラーレス技術と呼んでいる。
【０００８】
カラーレス技術は、自発光方式と搬送波供給方式に大別できる。自発光方式は、図２(a) に示すように、ＯＮＵ自身に波長選択性をもつ光源が搭載されており、開通時に局側から各ＯＮＵの送信波長を設定する。ここでは、ＯＮＵ２０−１〜２０−ｎの送信器がそれぞれ波長λu1〜λunの上り信号を送信する。
【０００９】
搬送波供給方式は、図２(b) に示すように、ＯＮＵ２０−１〜２０−ｎの送信器に光変調器が搭載されており、ＯＬＴ１０の光源から送信された波長λu1〜λunの連続光を波長スプリッタ３３で波長分波し、各ＯＮＵに供給される各波長の連続光を変調して上り信号を生成している。例えば、ＯＮＵ２０−１に波長λd1の下り信号と波長λu1の連続光が入力し、波長λu1の連続光を変調して上り信号として折り返す構成を示す。
【００１０】
図３は、既存ＰＯＮ（ＧＥ−ＰＯＮ）とＷＤＭ−ＰＯＮが共存するシステム構成例を示す。ここでは、既存ＰＯＮの光スプリッタはパワースプリッタであるため、共存するＷＤＭ−ＰＯＮは図１(b) に示すパワースプリッタ３４を用いた構成となる。
【００１１】
図において、ＧＥ−ＰＯＮに対応するＯＬＴ（ＧＥ−ＯＬＴ）とＯＮＵ（ＧＥ−ＯＮＵ）、ＷＤＭ−ＰＯＮで波長λ1 を占有するＯＬＴ（λ1 −ＯＬＴ）とＯＮＵ（λ1 −ＯＮＵ）、ＷＤＭ−ＰＯＮで波長λ2 を占有するＯＬＴ（λ2 −ＯＬＴ）とＯＮＵ（λ2 −ＯＮＵ）は、波長合分波器３５、光ファイバ伝送路３１、パワースプリッタ３４、光ファイバ伝送路３２を介して接続される。ＧＥ−ＰＯＮは、１波長を複数のＯＮＵで共用し、複数のＯＮＵで帯域を時間的にシェアする帯域共有サービスである。ＷＤＭ−ＰＯＮは、ＧＥ−ＰＯＮとは別の波長帯でＯＮＵごとに１つの波長λ１，λ２を割り当て、各波長ごとに伝送速度の設定が可能な帯域占有サービスである。
【００１２】
図３に示すパワースプリッタ型ＷＤＭ−ＰＯＮにおいて、自発光方式のカラーレスＯＮＵの送信器は、波長可変光源の発振波長を変化させる手法、または広帯域な光源の光スペクトルを波長可変フィルタで切り出す（波長可変フィルタの中心波長が送信波長となる）手法が用いられる。しかし、応答性が高く、広帯域で選択波長を可変できる安価な波長可変フィルタを実現することは困難であり、自発光方式のカラーレスＯＮＵを実現する上で課題になっていた。また、自発光方式では、局側から波長をモニタし他のＯＮＵと波長が重複しないように波長管理を行う必要があり、柔軟な運用を行う上で課題になっていた。
【００１３】
本発明は、波長可変フィルタを用いずにパワースプリッタ型ＷＤＭ−ＰＯＮおよび自発光方式に対応するカラーレスＯＮＵを実現できる光通信システム、ＯＮＵの送信器、ＯＬＴの受信器、およびＯＮＵの上り信号送信方法を提供することを目的とする。
【課題を解決するための手段】
【００１４】
第１の発明は、局側に配置されるＯＬＴと、複数のユーザ側にそれぞれ配置されるＯＮＵがパワースプリッタおよび光ファイバ伝送路を介して接続された光通信システムにおいて、各ＯＮＵは、ＯＮＵごとに異なる少なくとも１つのサブキャリア周波数が割り当てられ、それぞれ割り当てられたサブキャリア周波数のＲＦ搬送波を送信信号で変調したＲＦ変調信号を生成するＲＦ変調手段と、所定の中心波長で広帯域なスペクトルを有しＲＦ変調信号で変調した変調光を上り信号として送信する光源とを含む送信器を備え、ＯＬＴは、各ＯＮＵからそれぞれ送信された上り信号をパワースプリッタを介してサブキャリア多重された上り信号として受光して電気信号に変換する受光器と、各ＯＮＵに割り当てられたサブキャリア周波数に基づいて電気信号から各ＯＮＵの送信信号を復調する各ＯＮＵ対応のＲＦ復調器とを含む受信器を備える。
【００１５】
また、ＯＳＵの光源に代えて、外部光源から所定の中心波長で広帯域なスペクトルを有するＣＷ光を入力し、ＲＦ変調信号でＣＷ光を変調した変調光を上り信号として送信する光変調器を備えてもよい。また、ＯＳＵの光源に代えて、外部光源から所定の中心波長で広帯域なスペクトルを有するＣＷ光を入力し、ＲＦ変調信号でＣＷ光を変調し、かつ片側の変調スペクトルのみを有する変調光を上り信号として送信する光変調器を備えてもよい。
【００１６】
また、ＯＬＴは、広帯域な上り信号を各波長成分に分波する波長分波器と、各ＯＮＵ対応の受光器とを備え、波長分波器で分波された各波長成分の上り信号を各ＯＮＵ対応の受光器でそれぞれ電気信号に変換し、各ＯＮＵ対応のＲＦ復調器で復調する構成としてもよい。
【００１７】
第２の発明は、第１の発明の光通信システムのＯＮＵの送信器において、各ＯＮＵに対して互いに異なる少なくとも１つのサブキャリア周波数が割り当てられ、それぞれ割り当てられたサブキャリア周波数のＲＦ搬送波を送信信号で変調したＲＦ変調信号を生成するＲＦ変調手段と、所定の中心波長で広帯域なスペクトルを有する出力光をＲＦ変調信号で変調した変調光を上り信号として送信する光源とを備える。
【００１８】
また、光源に代えて、外部光源から所定の中心波長で広帯域なスペクトルを有するＣＷ光を入力し、ＲＦ変調信号でＣＷ光を変調した変調光を上り信号として送信する光変調器を備えてもよい。また、光源に代えて、外部光源から所定の中心波長で広帯域なスペクトルを有するＣＷ光を入力し、ＲＦ変調信号でＣＷ光を変調し、かつ片側の変調スペクトルのみを有する変調光を上り信号として送信する光変調器を備えてもよい。
【００１９】
第３の発明は、第１の発明の光通信システムのＯＬＴの受信器において、各ＯＮＵからそれぞれ送信された上り信号をパワースプリッタを介してサブキャリア多重された上り信号として受光して電気信号に変換する受光器と、各ＯＮＵに割り当てられたサブキャリア周波数に基づいて電気信号から各ＯＮＵの送信信号を復調する各ＯＮＵ対応のＲＦ復調器とを備える。
【００２０】
第４の発明は、第１の発明の光通信システムのＯＮＵの上り信号送信方法において、各ＯＮＵに対して互いに異なる少なくとも１つのサブキャリア周波数が割り当てられたＲＦ変調手段が、それぞれ割り当てられたサブキャリア周波数のＲＦ搬送波を送信信号で変調したＲＦ変調信号を生成し、所定の中心波長で広帯域なスペクトルを有する光源からＲＦ変調信号で変調した変調光を上り信号として送信する。
【００２１】
また、光源に代えて、外部光源から所定の中心波長で広帯域なスペクトルを有するＣＷ光を入力する光変調器を用い、ＲＦ変調信号でＣＷ光を変調した変調光を上り信号として送信してもよい。また、光源に代えて、外部光源から所定の中心波長で広帯域なスペクトルを有するＣＷ光を入力する光変調器を用い、ＲＦ変調信号でＣＷ光を変調し、かつ片側の変調スペクトルのみを有する変調光を上り信号として送信してもよい。
【発明の効果】
【００２２】
本発明は、互いに異なるサブキャリア周波数を利用する各ＯＮＵにおいて、サブキャリア周波数のＲＦ搬送波を送信信号で変調したＲＦ変調信号を生成し、所定の中心波長で広帯域なスペクトルを有する光源からＲＦ変調信号で変調した変調光を上り信号として送信する。各ＯＮＵから送信された上り信号は、パワースプリッタを介してサブキャリア多重された上り信号としてＯＬＴに入力される。ＯＬＴでは、この上り信号を電気信号に変換し、各ＯＮＵに割り当てられたサブキャリア周波数に基づいて電気信号から各ＯＮＵの送信信号を復調する。
【００２３】
このように、ＲＦ搬送波のサブキャリア周波数を各ＯＮＵとＯＬＴの各ＲＦ復調器で対応させることにより、ＯＮＵとＲＦ変調器が１対１に対応し、波長可変フィルタを用いずにパワースプリッタ型ＷＤＭ−ＰＯＮおよび自発光方式に対応するカラーレスＯＮＵを実現することができる。なお、ＯＮＵに電子回路からなるＲＦ変調手段をもたせた方が、ＯＮＵに光モジュールである波長可変フィルタをもたせるよりも圧倒的に安価なＯＮＵを実現することができる。
【発明を実施するための最良の形態】
【００２４】
（第１の実施形態）
図４は、本発明の光通信システムの第１の実施形態を示す。
図において、局側に配置されるＯＬＴ１０と、複数のユーザ側にそれぞれ配置されるＯＮＵ２０−１〜２０−ｎは、光ファイバ伝送路３１，３２およびパワースプリッタ３４を介して１対ｎに接続される。ここでは、ＯＮＵ２０−１〜２０−ｎの送信器および各ＯＮＵに対応する上り信号を受信するＯＬＴ１０の受信器の構成例を示し、下り信号の伝送系であるＯＬＴ１０の送信器およびＯＮＵ２０−１〜２０−ｎの受信器の構成は省略している。
【００２５】
ＯＮＵ２０−ｎの送信器は、乗算器２１でサブキャリア周波数ｆn のＲＦ搬送波にベースバンド送信信号を重畳し、フィルタ２２で乗算器２１から出力されるＲＦ変調信号の片側帯波およびＲＦ搬送波成分を切り出し、増幅器２３およびバイアスＴ回路２４を介して広帯域なスペクトルをもつスーパールミッセントダイオード（ＳＬＤ）２５に入力する構成である。ＯＮＵ２０−ｎのＳＬＤ２５は、サブキャリア周波数ｆn のＲＦ変調信号で変調された広帯域の変調光を出力する。なお、フィルタ２３は省いてもよい。
【００２６】
ここで、ＯＮＵ２０−１〜２０−ｎの各送信器でベースバンド送信信号が重畳されるＲＦ搬送波は、互いに異なるサブキャリア周波数ｆ1 〜ｆn が用いられる。したがって、パワースプリッタ３４で各ＯＮＵからの上り信号（変調光）が合流したときに、広帯域光に対してそれぞれサブキャリア周波数ｆ1 〜ｆn の変調成分がサブキャリア多重された状態になる。
【００２７】
ＯＬＴ１０の受信器は、受信する変調光を受光器１２で電気信号に変換し、増幅器１３で増幅し、増幅した電気信号を分配器１４で各ＯＮＵ対応の中心周波数ｆ1 〜ｆn のＲＦ復調器１５−１〜１５−ｎに分配する構成である。中心周波数ｆn のＲＦ復調器１５−ｎは、電気信号からサブキャリア周波数ｆn 成分を復調することにより、ＯＮＵ２０−ｎから送信されたベースバンド送信信号を抽出する。
【００２８】
このように、ＲＦ搬送波のサブキャリア周波数ｆ1 〜ｆn をＯＮＵ２０−１〜２０−ｎとＯＬＴ１０のＲＦ復調器１５−１〜１５−ｎで対応させることにより、ＯＮＵとＲＦ変調器が１対１に対応し、波長可変フィルタを用いずにパワースプリッタ型ＷＤＭ−ＰＯＮおよび自発光方式に対応するカラーレスＯＮＵを実現することができる。
【００２９】
（第２の実施形態）
図５は、本発明の光通信システムの第２の実施形態を示す。
第１の実施形態は、各ＯＮＵにおいてＳＬＤ２５をＲＦ変調信号で直接変調する構成であるが、本実施形態はＳＬＤ２５に代えて光変調器２６を用い、外部の広帯域なスペクトルをもつＳＬＤ等の光源から入力するＣＷ光を外部変調する構成を特徴とする。その他の構成は第１の実施形態と同様である。
【００３０】
（第３の実施形態）
図６は、本発明の光通信システムの第３の実施形態を示す。
第２の実施形態は、各ＯＮＵにおいて光変調器２６を用い、外部光源から入力するＣＷ光を外部変調する構成であるが、本実施形態は光変調器２６に代えてＳＳＢ(Single Sid Band) 光変調器２７を用い、片側の変調スペクトル成分のみの変調光を下り信号として送信する構成を特徴とする。その他の構成は第１の実施形態および第２の実施形態と同様である。
【００３１】
なお、通常の光変調器では、ＡＭ変調で生じる両側帯波のように光キャリア（ＣＷ光）の両側に変調スペクトルが生じるが、ＳＳＢ光変調器２７では片側の変調スペクトルのみが得られます。通常の光変調器で発生したＳＣＭ変調光を送信する場合には、光ファイバの分散により両側の変調スペクトルの干渉状態に影響して波形劣化を生じさせるが、ＳＳＢ光変調器２７を利用することにより分散による波形劣化を低減できる効果がある。
【００３２】
（第４の実施形態）
図７は、本発明の光通信システムの第４の実施形態を示す。
本実施形態は、第１の実施形態のＯＬＴ１０の構成を変更したものであるが、ＯＮＵ２０−１〜２０−ｎとＲＦ搬送波のサブキャリア周波数ｆ1 〜ｆn を１対１に対応させ、よってＯＮＵ２０−１〜２０−ｎとＯＬＴ１０の中心周波数ｆ1 〜ｆn のＲＦ復調器１５−１〜１５−ｎを１対１で対応させるところは同じである。
【００３３】
本実施形態のＯＬＴ１０は、上り信号として入力する広帯域の変調光を波長フィルタ１６で波長λ1 〜λn の成分に分波し、各波長の変調光をそれぞれ対応するＯＳＵ(Optical Subscriber Unit：光加入者線終端装置) １７−１〜１７−ｎに入力する。なお、各波長の変調光には、サブキャリア周波数ｆ1 〜ｆn の成分がサブキャリア多重されている。例えばＯＳＵ１７−ｎの受信器は、受信する波長λn の変調光を受光器１２で電気信号に変換し、増幅器１３で増幅し、増幅した電気信号を中心周波数ｆn のＲＦ復調器１５−ｎに入力する構成である。中心周波数ｆn のＲＦ復調器１５−ｎは、波長λn の変調光に対応する電気信号から周波数ｆn 成分を復調することにより、ＯＮＵ２０−ｎから送信されたベースバンド送信信号を抽出する。なお、本実施形態においてもＯＳＵの下り信号の送信系の構成は省略している。
【００３４】
また、本実施形態のＯＬＴ１０およびＯＳＵ１７の構成は、第２の実施形態および第３の実施形態においても同様に適用することができる。
【００３５】
（第５の実施形態）
第１〜第４の実施形態では、ＯＮＵ２０−１〜２０−ｎとＲＦ搬送波のサブキャリア周波数ｆ1 〜ｆn を１対１に対応させ、よってＯＮＵ２０−１〜２０−ｎとＯＬＴ１０の中心周波数ｆ1 〜ｆn のＲＦ復調器１５−１〜１５−ｎを１対１で対応させていた。
【００３６】
第１〜第４の実施形態において、各ＯＮＵに割り当てるＲＦ搬送波のサブキャリア周波数を複数とし、例えば互いに異なるサブキャリア周波数のＲＦ搬送波に複数のベースバンド送信信号を重畳した複数のＲＦ変調信号を多重し、多重ＲＦ変調信号で波長λ1 〜λn のＣＷ光を変調する。ＯＮＵの送信器の一例を図８に示す。図８では、ベースバンド送信信号ａ，ｂをそれぞれサブキャリア周波数ｆa,ｆb のＲＦ搬送波で変調したＲＦ変調信号を加算器２８で加算し、多重ＲＦ変調信号としている。一方、ＯＬＴ１０においても各ＯＮＵごとに複数のサブキャリア周波数に対応させた中心周波数を有するＲＦ復調器を用いることにより、各ＯＮＵに割り当てる帯域の増大が可能となる。
【００３７】
また、各ＯＮＵに割り当てる複数のＲＦ搬送波のサブキャリア周波数を固定的ではなく、ＯＬＴからの制御信号により動的に変更することにより、各ＯＮＵに割り当てる帯域を可変制御することができる。例えば、ＯＮＵの変調方式にＯＦＤＭ（Orthogonal Frequency Division Multiplexing) を利用し、ＯＦＤＭの各周波数成分をＯＮＵとＯＬＴのＲＦ復調器との間で割り当てることにより、帯域割り当てのきめ細かい制御が可能となる。
【図面の簡単な説明】
【００３８】
【図１】ＷＤＭ−ＰＯＮシステムの構成例を示す図。
【図２】カラーレスＯＮＵを用いたＷＤＭ−ＰＯＮシステムの構成例を示す図。
【図３】既存ＰＯＮ（ＧＥ−ＰＯＮ）とＷＤＭ−ＰＯＮが共存するシステム構成例を示す図。
【図４】本発明の光通信システムの第１の実施形態を示す図。
【図５】本発明の光通信システムの第２の実施形態を示す図。
【図６】本発明の光通信システムの第３の実施形態を示す図。
【図７】本発明の光通信システムの第４の実施形態を示す図。
【図８】本発明の光通信システムの第５の実施形態におけるＯＮＵの送信器の一例を示す図。
【符号の説明】
【００３９】
１０  ＯＬＴ（光加入者線終端盤）
１２  受光器
１３  増幅器
１４  分配器
１５  ＲＦ復調器
１６  波長フィルタ
１７  ＯＳＵ（光加入者線終端装置）
２０  ＯＮＵ（光ネットワーク終端装置）
２１  乗算器
２２  フィルタ
２３  増幅器
２４  光変調器
２５  スーパールミッセントダイオード（ＳＬＤ）
２６  光変調器
２７  ＳＳＢ光変調器
２８  加算器
３１，３２  光ファイバ伝送路
３３  波長スプリッタ
３４  パワースプリッタ
３５  波長合分波器
【図１】
2010114621.tif 000003
【図２】
2010114621.tif 000004
【図３】
2010114621.tif 000005
【図４】
2010114621.tif 000006
【図５】
2010114621.tif 000007
【図６】
2010114621.tif 000008
【図７】
2010114621.tif 000009
【図８】
2010114621.tif 000010